(57)【要約】  本開示の様々な態様は、一般にワイヤレス通信に関する。いくつかの態様では、ユーザ機器が、キャリアのための初期絶対周波数、キャリアのためのトーン境界オフセット値、キャリア中に含まれるリソースブロックの数、または基準周波数からの周波数オフセットのうちの少なくとも１つを識別するキャリア情報を受信し、キャリア情報とユーザ機器のサブキャリア間隔とに少なくとも部分的に基づいて、キャリアのリソース割振りを決定し得る。多数の他の態様が提供される。【選択図】図６
2021505043.tif 000002
【特許請求の範囲】
【請求項１】
ユーザ機器（ＵＥ）によって実施されるワイヤレス通信の方法であって、
キャリアのための初期絶対周波数、
前記キャリアのためのトーン境界オフセット値、
前記キャリア中に含まれるリソースブロックの数、または、
基準周波数からの周波数オフセット、
のうちの少なくとも１つを識別するキャリア情報を受信することと、
前記キャリア情報と前記ＵＥのサブキャリア間隔とに少なくとも部分的に基づいて、前記キャリアの構成を決定することと、
を備える、方法。
【請求項２】
前記基準周波数は、前記キャリアのエッジから特定の距離を置いたところに位置し、前記特定の距離は、前記ＵＥの最大のサポートされるチャネル帯域幅よりも広い、請求項１に記載の方法。
【請求項３】
前記基準周波数に少なくとも部分的に基づいて、
前記キャリアのための擬似雑音シーケンス、
前記キャリアのためのリソースブロックグループ、
前記キャリアのためのプリコーダリソースブロックグラニュラリティ、または、
前記キャリアのためのサウンディング基準信号のロケーション、
のうちの少なくとも１つを決定すること、
をさらに備える、請求項１に記載の方法。
【請求項４】
前記キャリア情報に少なくとも部分的に基づいて、および帯域幅部分の開始リソースブロックまたは前記帯域幅部分の終了リソースブロックのうちの少なくとも１つを識別する情報に少なくとも部分的に基づいて、前記帯域幅部分を決定すること、
をさらに備える、請求項１に記載の方法。
【請求項５】
前記帯域幅部分の前記開始リソースブロックまたは前記帯域幅部分の前記終了リソースブロックのうちの少なくとも１つは、物理チャネルに対して定義される、請求項４に記載の方法。
【請求項６】
前記帯域幅部分の前記開始リソースブロックまたは前記帯域幅部分の前記終了リソースブロックのうちの少なくとも１つは、前記基準周波数に対して定義される、請求項４に記載の方法。
【請求項７】
前記キャリアはダウンリンクキャリアであり、前記キャリア情報はダウンリンクキャリア情報であり、
前記ＵＥが周波数分割複信に関連付けられるとき、前記方法は、
アップリンクキャリアのためのアップリンクキャリア情報を受信することと、
前記アップリンクキャリア情報に少なくとも部分的に基づいて、前記アップリンクキャリアの構成を決定することと、
をさらに備える、請求項１に記載の方法。
【請求項８】
前記ＵＥは、前記アップリンクキャリアが、
前記ダウンリンクキャリアとは異なるサブキャリア間隔、または、
前記ダウンリンクキャリアとは異なるチャネル帯域幅、
のうちの少なくとも１つに関連付けられることに少なくとも部分的に基づいて、前記アップリンクキャリア情報を受信するように構成された、請求項７に記載の方法。
【請求項９】
前記キャリアのための同期信号ブロックは、前記物理チャネルのための同期ラスタによって定義されるロケーション以外のロケーションにおいて受信される、請求項１に記載の方法。
【請求項１０】
前記初期絶対周波数を示すチャネル番号を受信すること、または、
前記初期絶対周波数において同期チャネルを検出すること、
のうちの１つに少なくとも部分的に基づいて、前記初期絶対周波数を識別すること、
をさらに備える、請求項１に記載の方法。
【請求項１１】
ワイヤレス通信のためのユーザ機器（ＵＥ）であって、
メモリと、
前記メモリに結合された１つまたは複数のプロセッサと、
を備え、前記メモリおよび前記１つまたは複数のプロセッサは、
キャリアのための初期絶対周波数、
前記キャリアのためのトーン境界オフセット値、
前記キャリア中に含まれるリソースブロックの数、または、
基準周波数からの周波数オフセット、
のうちの少なくとも１つを識別するキャリア情報を受信することと、
前記キャリア情報と前記ＵＥのサブキャリア間隔とに少なくとも部分的に基づいて、前記キャリアの構成を決定することと、
を行うように構成された、ユーザ機器（ＵＥ）。
【請求項１２】
前記基準周波数は、前記キャリアのエッジから特定の距離を置いたところに位置し、前記特定の距離は、前記ＵＥの最大のサポートされるチャネル帯域幅よりも広い、請求項１１に記載のＵＥ。
【請求項１３】
前記１つまたは複数のプロセッサは、
前記基準周波数に少なくとも部分的に基づいて、
前記キャリアのための擬似雑音シーケンス、
前記キャリアのためのリソースブロックグループ、
前記キャリアのためのプリコーダリソースブロックグラニュラリティ、または、
前記キャリアのためのサウンディング基準信号のロケーション、
のうちの少なくとも１つを決定する、
ようにさらに構成された、請求項１１に記載のＵＥ。
【請求項１４】
前記１つまたは複数のプロセッサは、
前記キャリア情報に少なくとも部分的に基づいて、および帯域幅部分の開始リソースブロックまたは前記帯域幅部分の終了リソースブロックのうちの少なくとも１つを識別する情報に少なくとも部分的に基づいて、前記帯域幅部分を決定する、
ようにさらに構成された、請求項１１に記載のＵＥ。
【請求項１５】
前記帯域幅部分の前記開始リソースブロックまたは前記帯域幅部分の前記終了リソースブロックのうちの少なくとも１つは、物理チャネルに対して定義される、請求項１４に記載のＵＥ。
【請求項１６】
前記帯域幅部分の前記開始リソースブロックまたは前記帯域幅部分の前記終了リソースブロックのうちの少なくとも１つは、前記基準周波数に対して定義される、請求項１４に記載のＵＥ。
【請求項１７】
前記キャリアはダウンリンクキャリアであり、前記キャリア情報はダウンリンクキャリア情報であり、
前記ＵＥが周波数分割複信に関連付けられるとき、前記１つまたは複数のプロセッサは、
アップリンクキャリアのためのアップリンクキャリア情報を受信することと、
前記アップリンクキャリア情報に少なくとも部分的に基づいて、前記アップリンクキャリアの構成を決定することと、
を行うようにさらに構成された、請求項１１に記載のＵＥ。
【請求項１８】
前記ＵＥは、前記アップリンクキャリアが、
前記ダウンリンクキャリアとは異なるサブキャリア間隔、または、
前記ダウンリンクキャリアとは異なるチャネル帯域幅、
のうちの少なくとも１つに関連付けられることに少なくとも部分的に基づいて、前記アップリンクキャリア情報を受信するように構成された、請求項１７に記載のＵＥ。
【請求項１９】
前記キャリアのための同期信号ブロックは、前記物理チャネルのための同期ラスタによって定義されるロケーション以外のロケーションにおいて受信される、請求項１１に記載のＵＥ。
【請求項２０】
前記１つまたは複数のプロセッサは、
前記初期絶対周波数を示すチャネル番号を受信すること、または、
前記初期絶対周波数において同期チャネルを検出すること、
のうちの１つに少なくとも部分的に基づいて、前記初期絶対周波数を識別する、請求項１１に記載のＵＥ。
【請求項２１】
基地局によって実施されるワイヤレス通信の方法であって、
ユーザ機器（ＵＥ）のサブキャリア間隔に少なくとも部分的に基づいて、前記ＵＥのためのキャリアの構成を決定することと、
前記構成を識別するキャリア情報を送信することと、
を備え、前記キャリア情報は、
前記キャリアのための初期絶対周波数、
前記キャリアのためのトーン境界オフセット値、
前記キャリア中に含まれるリソースブロックの数、または、
基準周波数からの周波数オフセット、
のうちの少なくとも１つを含む、方法。
【請求項２２】
前記基準周波数は、前記キャリアのエッジから特定の距離を置いたところに位置し、前記特定の距離は、前記ＵＥの最大のサポートされるチャネル帯域幅よりも広い、請求項２１に記載の方法。
【請求項２３】
帯域幅部分の開始リソースブロックまたは前記帯域幅部分の終了リソースブロックのうちの少なくとも１つを識別する情報を送信すること、
をさらに備え、前記キャリア情報は、前記帯域幅部分のためのものである、請求項２１に記載の方法。
【請求項２４】
前記帯域幅部分の前記開始リソースブロックまたは前記帯域幅部分の前記終了リソースブロックのうちの少なくとも１つは、物理チャネルに対して定義される、請求項２３に記載の方法。
【請求項２５】
前記帯域幅部分の前記開始リソースブロックまたは前記帯域幅部分の前記終了リソースブロックのうちの少なくとも１つは、前記基準周波数に対して定義される、請求項２３に記載の方法。
【請求項２６】
前記キャリアはダウンリンクキャリアであり、前記キャリア情報はダウンリンクキャリア情報であり、
前記ＵＥが周波数分割複信に関連付けられるとき、前記方法は、
アップリンクキャリアのためのアップリンクキャリア情報を送信すること、
をさらに備える、請求項２３に記載の方法。
【請求項２７】
前記基地局は、前記アップリンクキャリアが、
前記ダウンリンクキャリアとは異なるサブキャリア間隔、または、
前記ダウンリンクキャリアとは異なるチャネル帯域幅、
のうちの少なくとも１つに関連付けられることに少なくとも部分的に基づいて、前記アップリンクキャリア情報を送信するように構成された、請求項２６に記載の方法。
【請求項２８】
前記キャリアのための同期信号ブロックは、前記物理チャネルのための同期ラスタによって定義されるロケーション以外のロケーションにおいて受信される、請求項２１に記載の方法。
【請求項２９】
前記初期絶対周波数は、
前記初期絶対周波数を示すチャネル番号、または、
前記初期絶対周波数における同期チャネル、
のうちの１つに少なくとも部分的に基づいて識別される、請求項２１に記載の方法。
【請求項３０】
ワイヤレス通信のための基地局であって、
メモリと、
前記メモリに結合された１つまたは複数のプロセッサと、
を備え、前記メモリおよび前記１つまたは複数のプロセッサは、
ユーザ機器（ＵＥ）のサブキャリア間隔に少なくとも部分的に基づいて、前記ＵＥのためのキャリアの構成を決定することと、
前記構成を識別するキャリア情報を送信することと、
を行うように構成され、前記キャリア情報は、
前記キャリアのための初期絶対周波数、
前記キャリアのためのトーン境界オフセット値、
前記キャリア中に含まれるリソースブロックの数、または、
基準周波数からの周波数オフセット、
のうちの少なくとも１つを含む、基地局。
【請求項３１】
前記基準周波数は、前記キャリアのエッジから特定の距離を置いたところに位置し、前記特定の距離は、前記ＵＥの最大のサポートされるチャネル帯域幅よりも広い、請求項３０に記載の基地局。
【請求項３２】
前記１つまたは複数のプロセッサは、
帯域幅部分の開始リソースブロックまたは前記帯域幅部分の終了リソースブロックのうちの少なくとも１つを識別する情報を送信する、
ようにさらに構成され、前記キャリア情報は、前記帯域幅部分のためのものである、請求項３０に記載の基地局。
【請求項３３】
前記帯域幅部分の前記開始リソースブロックまたは前記帯域幅部分の前記終了リソースブロックのうちの少なくとも１つは、物理チャネルに対して定義される、請求項３２に記載の基地局。
【請求項３４】
前記帯域幅部分の前記開始リソースブロックまたは前記帯域幅部分の前記終了リソースブロックのうちの少なくとも１つは、前記基準周波数に対して定義される、請求項３２に記載の基地局。
【請求項３５】
前記キャリアはダウンリンクキャリアであり、前記キャリア情報はダウンリンクキャリア情報であり、
前記ＵＥが周波数分割複信に関連付けられるとき、前記１つまたは複数のプロセッサは、
アップリンクキャリアのためのアップリンクキャリア情報を送信する、
ようにさらに構成された、請求項３２に記載の基地局。
【請求項３６】
前記基地局は、前記アップリンクキャリアが、
前記ダウンリンクキャリアとは異なるサブキャリア間隔、または、
前記ダウンリンクキャリアとは異なるチャネル帯域幅、
のうちの少なくとも１つに関連付けられることに少なくとも部分的に基づいて、前記アップリンクキャリア情報を送信するように構成された、請求項３５に記載の基地局。
【請求項３７】
前記キャリアのための同期信号ブロックは、前記物理チャネルのための同期ラスタによって定義されるロケーション以外のロケーションにおいて受信される、請求項３０に記載の基地局。
【請求項３８】
前記初期絶対周波数は、
前記初期絶対周波数を示すチャネル番号、または
前記初期絶対周波数における同期チャネル、
のうちの１つに少なくとも部分的に基づいて識別される、請求項３０に記載の基地局。
【発明の詳細な説明】
【優先権の主張】
【０００１】
米国特許法第１１９条に基づく関連出願の相互参照
[0001]本出願は、参照により本明細書に明確に組み込まれる、２０１７年１１月２８日に出願された「TECHNIQUES AND APPARATUSES FOR CARRIER INFORMATION SIGNALING IN A 5G NETWORK」と題する仮特許出願第６２／５９１，７３２号、および２０１８年１１月２６日に出願された「CARRIER INFORMATION SIGNALING IN A 5G NETWORK」と題する非仮特許出願第１６／１９９，９５８号の優先権を主張する。
【技術分野】
【０００２】
[0002]本開示の態様は、一般にワイヤレス通信に関し、より詳細には、５Ｇネットワークにおけるキャリア情報シグナリングのための技法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。
【０００４】
[0004]ワイヤレス通信ネットワークは、いくつかのユーザ機器（ＵＥ）のための通信をサポートすることができるいくつかの基地局（ＢＳ）を含み得る。ユーザ機器（ＵＥ）は、ダウンリンクおよびアップリンクを介して基地局（ＢＳ）と通信し得る。ダウンリンク（または順方向リンク）はＢＳからＵＥへの通信リンクを指し、アップリンク（または逆方向リンク）はＵＥからＢＳへの通信リンクを指す。本明細書でより詳細に説明されるように、ＢＳは、ノードＢ、ｇＮＢ、アクセスポイント（ＡＰ）、ラジオヘッド、送信受信ポイント（ＴＲＰ）、新しい無線（ＮＲ）ＢＳ、５ＧノードＢなどと呼ばれることがある。
【０００５】
[0005]上記の多元接続技術は、異なるユーザ機器が都市、国家、地域、さらには地球規模で通信することを可能にする共通プロトコルを提供するために、様々な電気通信規格において採用されている。５Ｇと呼ばれることもある、新しい無線（ＮＲ）は、第３世代パートナーシッププロジェクト（３ＧＰＰ）によって公表されたＬＴＥモバイル規格の拡張のセットである。ＮＲは、スペクトル効率を改善すること、コストを下げること、サービスを改善すること、新しいスペクトルを利用すること、および、ダウンリンク（ＤＬ）上でサイクリックプレフィックス（ＣＰ）を伴う直交周波数分割多重（ＯＦＤＭ）（ＣＰ−ＯＦＤＭ）を使用して、アップリンク（ＵＬ）上でＣＰ−ＯＦＤＭおよび／または（たとえば、離散フーリエ変換拡散ＯＤＦＭ（ＤＦＴ−ｓ−ＯＦＤＭ）としても知られる）ＳＣ−ＦＤＭを使用して、他のオープン規格とより良く統合すること、ならびに、ビームフォーミング、多入力多出力（ＭＩＭＯ）アンテナ技術、およびキャリアアグリゲーションをサポートすることによって、モバイルブロードバンドインターネットアクセスをより良くサポートするように設計されている。しかしながら、モバイルブロードバンドアクセスに対する需要が増加し続けるにつれて、ＬＴＥおよびＮＲ技術のさらなる改善が必要である。好ましくは、これらの改善は、他の多元接続技術と、これらの技術を採用する電気通信規格とに適用可能であるべきである。
【発明の概要】
【０００６】
[0006]いくつかの態様では、ユーザ機器によって実施されるワイヤレス通信の方法は、キャリアのための初期絶対周波数、該キャリアのためのトーン境界オフセット値、該キャリア中に含まれるリソースブロックの数、または基準周波数からの周波数オフセットのうちの少なくとも１つを識別するキャリア情報を受信することと、該キャリア情報と該ユーザ機器のサブキャリア間隔とに少なくとも部分的に基づいて、該キャリアの構成を決定することとを含み得る。
【０００７】
[0007]いくつかの態様では、ワイヤレス通信のためのユーザ機器は、メモリと、メモリに動作可能に結合された少なくとも１つのプロセッサとを含み得る。該メモリおよび該少なくとも１つのプロセッサは、キャリアのための初期絶対周波数、該キャリアのためのトーン境界オフセット値、該キャリア中に含まれるリソースブロックの数、または基準周波数からの周波数オフセットのうちの少なくとも１つを識別するキャリア情報を受信することと、該キャリア情報と該ユーザ機器のサブキャリア間隔とに少なくとも部分的に基づいて、該キャリアの構成を決定することとを行うように構成され得る。
【０００８】
[0008]いくつかの態様では、非一時的コンピュータ可読媒体は、ワイヤレス通信のための１つまたは複数の命令を記憶し得る。該１つまたは複数の命令は、ユーザ機器の１つまたは複数のプロセッサによって実行されたとき、該１つまたは複数のプロセッサに、キャリアのための初期絶対周波数、該キャリアのためのトーン境界オフセット値、該キャリア中に含まれるリソースブロックの数、または基準周波数からの周波数オフセットのうちの少なくとも１つを識別するキャリア情報を受信することと、該キャリア情報とユーザ機器のサブキャリア間隔とに少なくとも部分的に基づいて、該キャリアの構成を決定することとを行わせ得る。
【０００９】
[0009]いくつかの態様では、ワイヤレス通信のための装置は、キャリアのための初期絶対周波数、該キャリアのためのトーン境界オフセット値、該キャリア中に含まれるリソースブロックの数、または基準周波数からの周波数オフセットのうちの少なくとも１つを識別するキャリア情報を受信するための手段と、該キャリア情報と該装置のサブキャリア間隔とに少なくとも部分的に基づいて、該キャリアの構成を決定するための手段とを含み得る。
【００１０】
[0010]いくつかの態様では、基地局によって実施されるワイヤレス通信の方法は、ユーザ機器（ＵＥ）のサブキャリア間隔に少なくとも部分的に基づいて、該ＵＥのためのキャリアの構成を決定することと、該構成を識別するキャリア情報を送信することとを含み得、ここにおいて、該キャリア情報は、該キャリアのための初期絶対周波数、該キャリアのためのトーン境界オフセット値、該キャリア中に含まれるリソースブロックの数、または基準周波数からの周波数オフセットのうちの少なくとも１つを含む。
【００１１】
[0011]いくつかの態様では、ワイヤレス通信のための基地局は、メモリと、メモリに動作可能に結合された少なくとも１つのプロセッサとを含み得る。該メモリおよび該少なくとも１つのプロセッサは、ユーザ機器（ＵＥ）のサブキャリア間隔に少なくとも部分的に基づいて、該ＵＥのためのキャリアの構成を決定することと、該構成を識別するキャリア情報を送信することとを行うように構成され得、ここにおいて、該キャリア情報は、該キャリアのための初期絶対周波数、該キャリアのためのトーン境界オフセット値、該キャリア中に含まれるリソースブロックの数、または基準周波数からの周波数オフセットのうちの少なくとも１つを含む。
【００１２】
[0012]いくつかの態様では、非一時的コンピュータ可読媒体は、ワイヤレス通信のための１つまたは複数の命令を記憶し得る。該１つまたは複数の命令は、基地局の１つまたは複数のプロセッサによって実行されたとき、該１つまたは複数のプロセッサに、ユーザ機器（ＵＥ）のサブキャリア間隔に少なくとも部分的に基づいて、該ＵＥのためのキャリアの構成を決定することと、該構成を識別するキャリア情報を送信することとを行わせ得、ここにおいて、該キャリア情報は、該キャリアのための初期絶対周波数、該キャリアのためのトーン境界オフセット値、該キャリア中に含まれるリソースブロックの数、または基準周波数からの周波数オフセットのうちの少なくとも１つを含む。
【００１３】
[0013]いくつかの態様では、ワイヤレス通信のための装置は、ユーザ機器（ＵＥ）のサブキャリア間隔に少なくとも部分的に基づいて、該ＵＥのためのキャリアの構成を決定するための手段と、該構成を識別するキャリア情報を送信するための手段とを含み得、ここにおいて、該キャリア情報は、該キャリアのための初期絶対周波数、該キャリアのためのトーン境界オフセット値、該キャリア中に含まれるリソースブロックの数、または基準周波数からの周波数オフセットのうちの少なくとも１つを含む。
【００１４】
[0014]態様は、概して、添付の図面および明細書を参照しながら本明細書で実質的に説明され、添付の図面および明細書によって示されるように、方法、装置、システム、コンピュータプログラム製品、非一時的コンピュータ可読媒体、ユーザ機器、基地局、ワイヤレス通信デバイス、および処理システムを含む。
【００１５】
[0015]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００１６】
[0016]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。異なる図面中の同じ参照番号は、同じまたは同様の要素を識別し得る。
【図面の簡単な説明】
【００１７】
【図１】[0017]本開示の様々な態様による、ワイヤレス通信ネットワークの一例を概念的に示すブロック図。
【図２】[0018]本開示の様々な態様による、ワイヤレス通信ネットワークにおいてユーザ機器（ＵＥ）と通信している基地局の一例を概念的に示すブロック図。
【図３Ａ】[0019]本開示の様々な態様による、ワイヤレス通信ネットワークにおけるフレーム構造の一例を概念的に示すブロック図。
【図３Ｂ】[0020]本開示の様々な態様による、ワイヤレス通信ネットワークにおける例示的な同期通信階層を概念的に示すブロック図。
【図４】[0021]本開示の様々な態様による、ノーマルサイクリックプレフィックスをもつ例示的なサブフレームフォーマットを概念的に示すブロック図。
【図５】[0022]本開示の様々な態様による、５Ｇ  ＵＥのためのキャリアの一例を示す図。
【図６】[0023]本開示の様々な態様による、５Ｇネットワークにおけるキャリア情報シグナリングの一例を示す図。
【図７】[0024]本開示の様々な態様による、たとえば、ユーザ機器（ＵＥ）によって実施される例示的なプロセスを示す図。
【図８】[0025]本開示の様々な態様による、たとえば、基地局によって実施される例示的なプロセスを示す図。
【発明を実施するための形態】
【００１８】
[0026]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載された任意の数の態様を使用して装置が実装され得、または方法が実施され得る。さらに、本開示の範囲は、本明細書に記載された本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００１９】
[0027]次に、様々な装置および技法を参照しながら電気通信システムのいくつかの態様が提示される。これらの装置および技法は、以下の発明を実施するための形態において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００２０】
[0028]本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得ることに留意されたい。
【００２１】
[0029]図１は、本開示の態様が実施され得るネットワーク１００を示す図である。ネットワーク１００は、ＬＴＥネットワーク、あるいは、５ＧまたはＮＲネットワークなど、何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）と他のネットワークエンティティとを含み得る。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送信受信ポイント（ＴＲＰ）などと呼ばれることもある。各ＢＳは、特定の地理的エリアに通信カバレージを与え得る。３ＧＰＰでは、「セル」という用語は、この用語が使用されるコンテキストに応じて、このカバレージエリアをサービスするＢＳおよび／またはＢＳサブシステムのカバレージエリアを指すことができる。
【００２２】
[0030]ＢＳは、マクロセル、ピコセル、フェムトセル、および／または別のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａがマクロセル１０２ａのためのマクロＢＳであり得、ＢＳ１１０ｂがピコセル１０２ｂのためのピコＢＳであり得、ＢＳ１１０ｃがフェムトセル１０２ｃのためのフェムトＢＳであり得る。ＢＳは、１つまたは複数の（たとえば、３つの）セルをサポートし得る。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書では互換的に使用され得る。
【００２３】
[0031]いくつかの態様では、セルは必ずしも固定であるとは限らないことがあり、セルの地理的エリアは、モバイルＢＳのロケーションに従って移動することがある。いくつかの態様では、ＢＳは、任意の好適なトランスポートネットワークを使用して、直接物理接続、仮想ネットワークなど、様々なタイプのバックホールインターフェースを通して、互いに、および／あるいはアクセスネットワーク１００中の１つまたは複数の他のＢＳまたはネットワークノード（図示せず）に相互接続され得る。
【００２４】
[0032]ワイヤレスネットワーク１００はまた、中継局を含み得る。中継局は、上流局（たとえば、ＢＳまたはＵＥ）からデータの送信を受信し、そのデータの送信を下流局（たとえば、ＵＥまたはＢＳ）に送ることができるエンティティである。中継局はまた、他のＵＥに対する送信を中継することができるＵＥであり得る。図１に示されている例では、中継局１１０ｄは、マクロＢＳ１１０ａとＵＥ１２０ｄとの間の通信を可能にするために、マクロＢＳ１１０ａおよびＵＥ１２０ｄと通信し得る。中継局は、リレーＢＳ、リレー基地局、リレーなどと呼ばれることもある。
【００２５】
[0033]ワイヤレスネットワーク１００は、異なるタイプのＢＳ、たとえば、マクロＢＳ、ピコＢＳ、フェムトＢＳ、リレーＢＳなどを含む異種ネットワークであり得る。これらの異なるタイプのＢＳは、異なる送信電力レベル、異なるカバレージエリア、およびワイヤレスネットワーク１００における干渉に対する異なる影響を有し得る。たとえば、マクロＢＳは、高い送信電力レベル（たとえば、５〜４０ワット）を有し得るが、ピコＢＳ、フェムトＢＳ、およびリレーＢＳは、より低い送信電力レベル（たとえば、０．１〜２ワット）を有し得る。
【００２６】
[0034]ネットワークコントローラ１３０は、ＢＳのセットに結合し得、これらのＢＳの協調および制御を行い得る。ネットワークコントローラ１３０はバックホールを介してＢＳと通信し得る。ＢＳはまた、たとえば、ワイヤレスバックホールまたはワイヤラインバックホールを介して直接または間接的に互いと通信し得る。
【００２７】
[0035]ＵＥ１２０（たとえば、１２０ａ、１２０ｂ、１２０ｃ）はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサー／生体デバイス、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽デバイスまたはビデオデバイス、あるいは衛星ラジオ）、車両構成要素または車両センサー、スマートメーター／スマートセンサー、工業用製造機器、全地球測位システムデバイス、あるいはワイヤレス媒体またはワイヤード媒体を介して通信するように構成された任意の他の好適なデバイスであり得る。
【００２８】
[0036]いくつかのＵＥは、マシンタイプ通信（ＭＴＣ）ＵＥあるいは発展型または拡張マシンタイプ通信（ｅＭＴＣ）ＵＥと見なされ得る。ＭＴＣ  ＵＥおよびｅＭＴＣ  ＵＥは、たとえば、基地局、別のデバイス（たとえば、リモートデバイス）、または何らかの他のエンティティと通信し得る、センサー、メーター、モニタ、ロケーションタグなど、ロボット、ドローン、リモートデバイスを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスと見なされ得、および／またはＮＢ−ＩｏＴ（狭帯域モノのインターネット）デバイスとして実装され得るとして実装され得る。いくつかのＵＥは、顧客構内機器（ＣＰＥ：Customer Premises Equipment）と見なされ得る。ＵＥ１２０は、プロセッサ構成要素、メモリ構成要素など、ＵＥ１２０の構成要素を格納するハウジング内に含まれ得る。
【００２９】
[0037]概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００３０】
[0038]いくつかの態様では、（たとえば、ＵＥ１２０ａおよびＵＥ１２０ｅとして示されている）２つまたはそれ以上のＵＥ１２０が、（たとえば、互いと通信するための媒介としてＢＳ１１０を使用せずに）１つまたは複数のサイドリンクチャネルを使用して、直接、通信し得る。たとえば、ＵＥ１２０は、ピアツーピア（Ｐ２Ｐ）通信、デバイスツーデバイス（Ｄ２Ｄ）通信、（たとえば、車両対車両（Ｖ２Ｖ）プロトコル、車両対インフラストラクチャ（Ｖ２Ｉ）プロトコルなどを含み得る）車両対あらゆるモノ（Ｖ２Ｘ）プロトコル、メッシュネットワークなどを使用して通信し得る。この場合、ＵＥ１２０は、スケジューリング動作、リソース選択動作、および／またはＢＳ１１０によって実施されるものとして本明細書の他の場所で説明される他の動作を実施し得る。
【００３１】
[0039]上記のように、図１は一例として与えられるにすぎない。他の例が可能であり、図１に関して説明されたものとは異なり得る。
【００３２】
[0040]図２は、図１中の基地局のうちの１つであり得るＢＳ１１０および図１中のＵＥのうちの１つであり得るＵＥ１２０の設計のブロック図を示す。ＢＳ１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００３３】
[0041]ＢＳ１１０において、送信プロセッサ２２０が、１つまたは複数のＵＥについてデータソース２１２からデータを受信し、ＵＥから受信されたチャネル品質インジケータ（ＣＱＩ）に少なくとも部分的に基づいて各ＵＥのための１つまたは複数の変調およびコーディング方式（ＭＣＳ）を選択し、そのＵＥのために選択された（１つまたは複数の）ＭＣＳに少なくとも部分的に基づいて各ＵＥのためのデータを処理（たとえば、符号化および変調）し、すべてのＵＥについてデータシンボルを与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可（grant）、上位レイヤシグナリングなど）を処理し、オーバーヘッドシンボルおよび制御シンボルを与え得る。送信プロセッサ２２０はまた、基準信号（たとえば、セル固有基準信号（ＣＲＳ：cell-specific reference signal））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実施し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２は、さらに、ダウンリンク信号を取得するために、出力サンプルストリームを処理（たとえば、アナログに変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。以下でより詳細に説明されるいくつかの態様によれば、同期信号は、追加情報を伝達するためにロケーション符号化を用いて生成され得る。
【００３４】
[0042]ＵＥ１２０において、アンテナ２５２ａ〜２５２ｒが、ＢＳ１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、受信信号を調整（たとえば、フィルタ処理、増幅、ダウンコンバート、およびデジタル化）し得る。各復調器２５４は、さらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実施し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）などを決定し得る。
【００３５】
[0043]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備える報告のための）制御情報とを受信および処理し得る。送信プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＤＦＴ−ｓ−ＯＦＤＭ、ＣＰ−ＯＦＤＭなどのために）変調器２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。受信プロセッサ２３８は、復号されたデータをデータシンク２３９に与え、復号された制御情報をコントローラ／プロセッサ２４０に与え得る。ＢＳ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３６】
[0044]いくつかの態様では、ＵＥ１２０の１つまたは複数の構成要素は、ハウジング中に含まれ得る。ＢＳ１１０のコントローラ／プロセッサ２４０、ＵＥ１２０のコントローラ／プロセッサ２８０、および／または図２の（１つまたは複数の）任意の他の構成要素は、本明細書の他の場所でより詳細に説明されるように、５Ｇネットワークにおけるキャリア情報シグナリングに関連する１つまたは複数の技法を実施し得る。たとえば、ＢＳ１１０のコントローラ／プロセッサ２４０、ＵＥ１２０のコントローラ／プロセッサ２８０、および／または図２の（１つまたは複数の）任意の他の構成要素は、たとえば、図７のプロセス７００、図８のプロセス８００、および／または本明細書で説明される他のプロセスの動作を実施または指示し得る。メモリ２４２および２８２は、それぞれＢＳ１１０およびＵＥ１２０のためのデータおよびプログラムコードを記憶し得る。スケジューラ２４６は、ダウンリンクおよび／またはアップリンク上でのデータ送信のためにＵＥをスケジュールし得る。
【００３７】
[0045]いくつかの態様では、ＵＥ１２０は、キャリア情報を受信するための手段、該キャリア情報とサブキャリア間隔とに少なくとも部分的に基づいて、該キャリアのリソース割振りを決定するための手段、基準周波数に少なくとも部分的に基づいて、該キャリアのための擬似雑音（pseudo-noise）シーケンス、該キャリアのためのリソースブロックグループ、該キャリアのためのプリコーダリソースブロックグラニュラリティ、または該キャリアのためのサウンディング基準信号のロケーションのうちの少なくとも１つを決定するための手段、該キャリア情報に少なくとも部分的に基づいて、および帯域幅部分の開始リソースブロックまたは帯域幅部分の終了リソースブロックのうちの少なくとも１つを識別する情報に少なくとも部分的に基づいて、帯域幅部分を決定するための手段、アップリンクキャリアのためのアップリンクキャリア情報を受信するための手段、アップリンクキャリア情報に少なくとも部分的に基づいて、アップリンクキャリアのリソース割振りを決定するための手段などを含み得る。いくつかの態様では、そのような手段は、図２に関して説明されるＵＥ１２０の１つまたは複数の構成要素を含み得る。
【００３８】
[0046]いくつかの態様では、ＢＳ１１０は、ＵＥのサブキャリア間隔に少なくとも部分的に基づいて、該ＵＥのためのキャリアのリソース割振りを決定するための手段；該リソース割振りを識別するキャリア情報を送信するための手段；帯域幅部分の開始リソースブロックまたは該帯域幅部分の終了リソースブロックのうちの少なくとも１つを識別する情報を送信するための手段、ここにおいて、該キャリア情報が、該帯域幅部分のためのものであり；アップリンクキャリアのためのアップリンクキャリア情報を送信するための手段；などを含み得る。いくつかの態様では、そのような手段は、図２に関して説明されるＢＳ１１０の１つまたは複数の構成要素を含み得る。
【００３９】
[0047]上記のように、図２は一例として与えられるにすぎない。他の例が可能であり、図２に関して説明されたものとは異なり得る。
【００４０】
[0048]図３Ａは、電気通信システム（たとえば、ＮＲ）における周波数分割複信（ＦＤＤ）のための例示的なフレーム構造３００を示す。ダウンリンクおよびアップリンクの各々についての送信タイムラインは、複数の無線フレームのユニットに区分され得る。各無線フレームは、所定の持続時間を有し得、（たとえば、０〜Ｚ−１のインデックスをもつ）Ｚ（Ｚ≧１）個のサブフレームのセットへの区分であり得る。各サブフレームはスロットのセットを含み得る（たとえば、サブフレームごとの２つのスロットが図３Ａに示されている）。各スロットはＬ個のシンボル期間のセットを含み得る。たとえば、各スロットは、（たとえば、図３Ａに示されているような）７つのシンボル期間、１５個のシンボル期間などを含み得る。サブフレームが２つのスロットを含む場合、サブフレームは２Ｌ個のシンボル期間を含み得、ここで、各サブフレーム中の２Ｌ個のシンボル期間は、０〜２Ｌ−１のインデックスを割り当てられ得る。いくつかの態様では、ＦＤＤのためのスケジューリングユニットは、フレームベース、サブフレームベース、スロットベース、シンボルベースなどであり得る。
【００４１】
[0049]本明細書では、フレーム、サブフレーム、スロットなどに関していくつかの技法が説明されるが、これらの技法は、５Ｇ  ＮＲにおいて「フレーム」、「サブフレーム」、「スロット」などとは異なる用語を使用して参照され得る、他のタイプのワイヤレス通信構造に等しく適用され得る。いくつかの態様では、ワイヤレス通信構造は、ワイヤレス通信規格および／またはプロトコルによって定義される周期時間限定通信ユニット（periodic time-bounded communication unit）を指し得る。追加または代替として、図３Ａに示されているものとは異なる、ワイヤレス通信構造の構成が使用され得る。
【００４２】
[0050]いくつかの電気通信（たとえば、ＮＲ）では、基地局は同期信号を送信し得る。たとえば、基地局は、基地局によってサポートされる各セルのためのダウンリンク上で、１次同期信号（ＰＳＳ）、２次同期信号（ＳＳＳ）などを送信し得る。ＰＳＳおよびＳＳＳは、セル探索および獲得（acquisition）のためにＵＥによって使用され得る。たとえば、ＰＳＳは、シンボルタイミングを決定するためにＵＥによって使用され得、ＳＳＳは、基地局に関連付けられた物理セル識別子と、フレームタイミングとを決定するためにＵＥによって使用され得る。基地局は、物理ブロードキャストチャネル（ＰＢＣＨ）をも送信し得る。ＰＢＣＨは、ＵＥによる初期アクセスをサポートするシステム情報など、いくつかのシステム情報を搬送し得る。
【００４３】
[0051]いくつかの態様では、基地局は、図３Ｂに関して以下で説明される、複数の同期通信（たとえば、同期信号（ＳＳ）ブロック）を含む同期通信階層（たとえば、ＳＳ階層）に従って、ＰＳＳ、ＳＳＳ、および／またはＰＢＣＨを送信し得る。
【００４４】
[0052]図３Ｂは、同期通信階層の一例である、例示的なＳＳ階層を概念的に示すブロック図である。図３Ｂに示されているように、ＳＳ階層は、複数のＳＳバースト（ＳＳバースト０〜ＳＳバーストＢ−１として識別され、ここで、Ｂは、基地局によって送信され得るＳＳバーストの最大繰返し数である）を含み得る、ＳＳバーストセットを含み得る。さらに示されているように、各ＳＳバーストは、１つまたは複数のＳＳブロック（ＳＳブロック０〜ＳＳブロック（ｂmax_SS-1として識別され、ここで、ｂmax_SS-1は、１つのＳＳバーストによって搬送され得るＳＳブロックの最大数である）を含み得る。いくつかの態様では、異なるＳＳブロックは、別様にビームフォーミングされ得る。ＳＳバーストセットは、図３Ｂに示されているように、Ｘミリ秒ごとになど、ワイヤレスノードによって周期的に送信され得る。いくつかの態様では、ＳＳバーストセットは、図３ＢにＹミリ秒として示される、固定長または動的な長さを有し得る。
【００４５】
[0053]図３Ｂに示されているＳＳバーストセットは、同期通信セットの一例であり、他の同期通信セットが、本明細書で説明される技法に関して使用され得る。さらに、図３Ｂに示されているＳＳブロックは、同期通信の一例であり、他の同期通信が、本明細書で説明される技法に関して使用され得る。
【００４６】
[0054]いくつかの態様では、ＳＳブロックは、ＰＳＳ、ＳＳＳ、ＰＢＣＨ、ならびに／あるいは他の同期信号（たとえば、３次同期信号（ＴＳＳ：tertiary synchronization signal））および／または同期チャネルを搬送するリソースを含む。いくつかの態様では、複数のＳＳブロックがＳＳバースト中に含まれ、ＰＳＳ、ＳＳＳ、および／またはＰＢＣＨは、ＳＳバーストの各ＳＳブロックにわたって同じであり得る。いくつかの態様では、単一のＳＳブロックがＳＳバースト中に含まれ得る。いくつかの態様では、ＳＳブロックは、長さが少なくとも４つのシンボル期間であり得、ここで、各シンボルは、（たとえば、１つのシンボルを占有する）ＰＳＳ、（たとえば、１つのシンボルを占有する）ＳＳＳ、および／または（たとえば、２つのシンボルを占有する）ＰＢＣＨのうちの１つまたは複数を搬送する。
【００４７】
[0055]いくつかの態様では、ＳＳブロックのシンボルは、図３Ｂに示されているように、連続する。いくつかの態様では、ＳＳブロックのシンボルは非連続である。同様に、いくつかの態様では、ＳＳバーストの１つまたは複数のＳＳブロックは、１つまたは複数のサブフレーム中に、連続する無線リソース（たとえば、連続するシンボル期間）中で送信され得る。追加または代替として、ＳＳバーストの１つまたは複数のＳＳブロックは、非連続無線リソース中で送信され得る。
【００４８】
[0056]いくつかの態様では、ＳＳバーストは、バースト期間を有し得、それにより、ＳＳバーストのＳＳブロックは、バースト期間に従って、基地局によって送信される。言い換えれば、ＳＳブロックは、各ＳＳバースト中に繰り返され得る。いくつかの態様では、ＳＳバーストセットは、バーストセット周期性を有し得、それにより、ＳＳバーストセットのＳＳバーストは、固定バーストセット周期性に従って、基地局によって送信される。言い換えれば、ＳＳバーストは、各ＳＳバーストセット中に繰り返され得る。
【００４９】
[0057]基地局は、いくつかの（certain）サブフレーム中の物理ダウンリンク共有チャネル（ＰＤＳＣＨ）上でシステム情報ブロック（ＳＩＢ）などのシステム情報を送信し得る。基地局は、サブフレームのＣ個のシンボル期間中に、物理ダウンリンク制御チャネル（ＰＤＣＣＨ）上で制御情報／データを送信し得、ここで、Ｂは各サブフレームについて構成可能であり得る。基地局は、各サブフレームの残りのシンボル期間中に、ＰＤＳＣＨ上でトラフィックデータおよび／または他のデータを送信し得る。
【００５０】
[0058]上記のように、図３Ａおよび図３Ｂは例として与えられている。他の例が可能であり、図３Ａおよび図３Ｂに関して説明されたものとは異なり得る。
【００５１】
[0059]図４は、ノーマルサイクリックプレフィックスをもつ例示的なサブフレームフォーマット４１０を示す。利用可能な時間周波数リソースはリソースブロックに区分され得る。各リソースブロックは、１つのスロット中のサブキャリアへのセット（たとえば、１２個のサブキャリア）をカバーし得、いくつかのリソース要素を含み得る。各リソース要素は、１つのシンボル期間中に（たとえば、時間的に）１つのサブキャリアをカバーし得、実数値または複素数値であり得る１つの変調シンボルを送るために使用され得る。いくつかの態様では、サブフレームフォーマット４１０は、本明細書で説明されるように、ＰＳＳ、ＳＳＳ、ＰＢＣＨなどを搬送するＳＳブロックの送信のために使用され得る。
【００５２】
[0060]いくつかの電気通信システム（たとえば、ＮＲ）におけるＦＤＤのためのダウンリンクおよびアップリンクの各々について、インターレース構造が使用され得る。たとえば、０〜Ｑ−１のインデックスをもつＱ個のインターレースが定義され得、ここで、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ここで、ｑ∈｛０，．．．，Ｑ−１｝である。
【００５３】
[0061]ＵＥは、複数のＢＳのカバレージ内に位置し得る。そのＵＥをサービスするために、これらのＢＳのうちの１つが選択され得る。サービングＢＳは、受信信号強度、受信信号品質、経路損失など、様々な基準に少なくとも部分的に基づいて選択され得る。受信信号品質は、信号対雑音干渉比（ＳＩＮＲ）、または基準信号受信品質（ＲＳＲＱ）、または何らかの他のメトリックによって定量化され得る。ＵＥは、ＵＥが１つまたは複数の干渉ＢＳからの高い干渉を観測し得る支配的干渉シナリオにおいて動作し得る。
【００５４】
[0062]本明細書で説明される例の態様は、ＮＲまたは５Ｇ技術に関連付けられ得るが、本開示の態様は、他のワイヤレス通信システムとともに適用可能であり得る。新しい無線（ＮＲ）は、（たとえば、直交周波数分割多元接続（ＯＦＤＭＡ）ベースエアインターフェース以外の）新しいエアインターフェース、または（たとえば、インターネットプロトコル（ＩＰ）以外の）固定トランスポートレイヤに従って動作するように構成された無線を指し得る。態様では、ＮＲは、アップリンク上で（本明細書ではサイクリックプレフィックスＯＦＤＭまたはＣＰ−ＯＦＤＭと呼ばれる）ＣＰを伴うＯＦＤＭおよび／またはＳＣ−ＦＤＭを利用し得、ダウンリンク上でＣＰ−ＯＦＤＭを利用し得、時分割複信（ＴＤＤ）を使用する半二重動作のサポートを含む。態様では、ＮＲは、たとえば、アップリンク上で（本明細書ではＣＰ−ＯＦＤＭと呼ばれる）ＣＰを伴うＯＦＤＭおよび／または離散フーリエ変換拡散直交周波数分割多重（ＤＦＴ−ｓ−ＯＦＤＭ）を利用し得、ダウンリンク上でＣＰ−ＯＦＤＭを利用し得、ＴＤＤを使用する半二重動作のサポートを含む。ＮＲは、拡張モバイルブロードバンド（ｅＭＢＢ）サービスターゲッティング広帯域幅（たとえば、８０メガヘルツ（ＭＨｚ）以上）、ミリメートル波（ｍｍＷ）ターゲッティング高キャリア周波数（たとえば、６０ギガヘルツ（ＧＨｚ））、マッシブＭＴＣ（ｍＭＴＣ）ターゲッティング非後方互換ＭＴＣ技法、および／またはミッションクリティカルターゲッティング超高信頼低遅延通信（ＵＲＬＬＣ）サービスを含み得る。
【００５５】
[0063]いくつかの態様では、１００ＭＨＺの単一のコンポーネントキャリア帯域幅が、サポートされ得る。ＮＲリソースブロックは、０．１ミリ秒（ｍｓ）持続時間にわたって６０または１２０キロヘルツ（ｋＨｚ）のサブキャリア帯域幅をもつ１２個のサブキャリアにわたり得る。各無線フレームは、１０ｍｓの長さをもつ４０個のサブフレームを含み得る。したがって、各サブフレームは、０．２５ｍｓの長さを有し得る。各サブフレームは、データ送信のためのリンク方向（たとえば、ＤＬまたはＵＬ）を示し得、各サブフレームのためのリンク方向は、動的に切り替えられ得る。各サブフレームは、ＤＬ／ＵＬデータならびにＤＬ／ＵＬ制御データを含み得る。
【００５６】
[0064]ビームフォーミングがサポートされ得、ビーム方向が動的に構成され得る。プリコーディングを用いたＭＩＭＯ送信も、サポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームをもつマルチレイヤ送信が、サポートされ得る。複数のセルのアグリゲーションが、最高８つのサービングセルを用いてサポートされ得る。代替的に、ＮＲは、ＯＦＤＭベースインターフェース以外の異なるエアインターフェースをサポートし得る。ＮＲネットワークは、エンティティ、そのような中央ユニットまたは分散型ユニットを含み得る。
【００５７】
[0065]上記のように、図４は一例として与えられている。他の例が可能であり、図４に関して説明されたものとは異なり得る。
【００５８】
[0066]５Ｇ（たとえば、ＮＲ）では、ＢＳ（たとえば、ＢＳ１１０）が、ＵＥ（たとえば、ＵＥ１２０）のためのキャリア（たとえば、コンポーネントキャリア、ＤＬキャリア、ＵＬキャリア）および／またはキャリアの帯域幅部分（ＢＷＰ）を構成し得る。５Ｇは、いくつかの他の無線アクセス技術（ＲＡＴ）に対してキャリアを構成することにおける増加されたフレキシビリティを与え得る。たとえば、ＵＥは、フレキシブル帯域幅割振りを使用することが可能であり得、ＵＥのためのキャリアおよび／またはＢＷＰが、帯域幅の需要、トラフィック考慮事項などに少なくとも部分的に基づいて割り当てられ得る。また、異なるＵＥが、異なるサブキャリア間隔（たとえば、ヌメロロジー、トーン間隔など）を使用し得、これは、キャリアおよび／またはＢＷＰの構成における増加されたフレキシビリティにつながり得る。
【００５９】
[0067]キャリアまたはＢＷＰのためのリソース割振りが様々なパラメータによって定義され得、これは、以下で図５に関してより詳細に説明される。しかしながら、特に、パラメータの多くが相互に関係付けられるので、ＢＳが様々なパラメータのすべてをＵＥにシグナリングすることは非効率的であり得る。たとえば、ＵＥは、特定のキャリアまたはＢＷＰのためのリソース割振りを決定するために、パラメータのサブセットのみを必要とし得る。
【００６０】
[0068]本明細書で説明されるいくつかの技法および装置は、ＵＥのためのキャリアの構成のためのパラメータを識別するキャリア情報のシグナリングを提供する。たとえば、キャリア情報は、キャリアに関する可能なパラメータのサブセット（たとえば、すべての可能なパラメータとは限らない）を含み得る。ＵＥは、構成を決定するために、キャリア情報を使用し得る。このようにして、可能なパラメータのサブセットが、ＵＥのキャリアのための構成の決定のためにＵＥに与えられ、それにより、さもなければパラメータのより大きいセットを与えるために使用されるであろう、ＵＥ、ＢＳ、およびネットワークリソースを節約する。
【００６１】
[0069]図５は、本開示の様々な態様による、５Ｇ  ＵＥ（たとえば、ＵＥ１２０）のための奇数個のＲＢと偶数個のＲＢとを有するキャリアの一例５００を示す図である。図５では、キャリア５０２、５０４、５０６、および５０８が、説明され、影付きブロックを使用して図５に示されている。図５では、μは、対応するキャリアのサブキャリア間隔、トーン間隔、またはヌメロロジーを表し、Ｍ、Ｍ＋１などの値を有し得る。Ｍは整数である。Ｍの単一の増分が、μの２倍の増加（a two-fold increase in μ）に対応し得る。たとえば、Ｍ＝０は、１５ｋＨｚのサブキャリア間隔に対応し得、Ｍ＝１は、３０ｋＨｚのサブキャリア間隔に対応し得、以下同様である。わかるように、キャリア５０２および５０６は、μ＝Ｍ＋１に関連付けられ、キャリア５０４および５０８は、μ＝Ｍに関連付けられる。いくつかの態様では、キャリア５０２〜５０８は、コンポーネントキャリアであり得る。追加または代替として、キャリア５０２〜５０８は、帯域幅部分であり得る。
【００６２】
[0070]参照番号５１０によって示されているように、キャリア５０２〜５０８は、基準周波数に関連付けられ得る。基準周波数は、ＵＥによって受信される同期信号ブロック（ＳＳブロックまたはＳＳＢ）によって識別され得る。たとえば、基準周波数は、ＳＳＢの物理ブロードキャストチャネルによって識別され得る。いくつかの態様では、基準周波数のロケーションが、チャネルラスタポイント（channel raster point）に関して、整数とサブキャリア間隔値（たとえば、サブ６ＧＨｚの場合に１５ｋＨｚ、またはｍｍ波の場合に６０ｋＨｚ）との積によって定義され得る。たとえば、基準周波数ロケーションは、サブ６ＧＨｚシステムでは、チャネルラスタポイントから４＊１５ｋＨｚとして定義され得る。基準周波数ロケーションは、異なるサブキャリア間隔について同一であり得る。たとえば、わかるように、μ＝Ｍに関連付けられたキャリアは、μ＝Ｍ＋１に関連付けられたキャリアと同じ基準周波数ロケーションを有し得る。
【００６３】
[0071]図５に、および参照番号５１２によって、示されているように、キャリア５０２は、キャリア中心周波数に関連付けられ得る。たとえば、キャリア中心周波数は、キャリア５０２の中心リソースブロックのリソース要素（ＲＥ）番号６としてここで示されているキャリア５０２の中心に位置し得る。参照番号５１４によって示されているように、キャリア５０４は、キャリア５０４の中心リソースブロックのＲＥ番号６としてここで示されている、キャリア５０２のキャリア中心周波数とは異なるキャリア中心周波数に関連付けられ得る。これは、キャリア５０４がキャリア５０２よりも広い帯域幅を有するためであり得る。
【００６４】
[0072]図５に示されているように、キャリア５０２〜５０８の左エッジは、キャリアの最低周波数（たとえば、最低リソースブロック（ＲＢ）の最低リソース要素（ＲＥ））に対応し得る。いくつかの態様では、左エッジは、チャネル開始またはチャネルエッジと呼ばれることがある。図５に示されているように、キャリア５０２〜５０８の右エッジは、キャリアの最高周波数（たとえば、最高リソースブロック（ＲＢ）の最高リソース要素（ＲＥ））に対応し得る。いくつかの態様では、右エッジは、チャネル終了またはチャネルエッジと呼ばれることがある。わかるように、いくつかの態様では、チャネル開始および／またはチャネル終了は、μの異なる値について異なり得る。いくつかの態様では、チャネル開始および／またはチャネル終了は、有効な(valid)チャネルラスタポイント上に位置し得る。チャネルラスタは、帯域のチャネルのための周波数グリッドを識別し得る。いくつかの態様では、チャネル開始および／またはチャネル終了は、チャネルラスタによって定義されるポイント上に位置し得る。たとえば、１５ｋＨｚサブキャリア間隔では、チャネルラスタは、参照番号５１０に関して説明される基準周波数に等しくなり得る特定の開始周波数から１５ｋＨｚオフセットごとにポイントを定義し得る。
【００６５】
[0073]参照番号５１６によって示されているように、キャリア５０４（および他のキャリア５０２、５０６、５０８）は、基準周波数からの周波数オフセットに関連付けられ得る。いくつかの態様では、周波数オフセットは、キャリアの基準周波数ロケーションとチャネル開始との間に測定され得る。いくつかの態様では、周波数オフセットは、整数個のＲＢとして定義され得る。いくつかの態様では、周波数オフセットは、異なるサブキャリア間隔について異なり得る。たとえば、キャリア５０２の場合、周波数オフセットは３つのＲＢであり得、キャリア５０４の場合、周波数オフセットは６つのＲＢであり得る。
【００６６】
[0074]いくつかの態様では、基準周波数ロケーションは、最大のサポートされるチャネル帯域幅よりも、チャネルエッジからさらに離れていることがある。たとえば、ＵＥが、４０ＭＨｚの最大のサポートされるチャネル帯域幅を有すると仮定し、ＵＥのキャリアが４０ＭＨｚキャリアであると仮定する。そのような場合、キャリアを識別するために使用される基準周波数は、キャリアのチャネルエッジから４０ＭＨｚ超離れて位置し得る。これは、４０ＭＨｚよりも大きい帯域幅のための前方互換性を与え得る。
【００６７】
[0075]参照番号５１８によって示されているように、キャリアは、キャリアのＤＣからＲＢ境界までのトーンオフセットを示す値に関連付けられ得、これは、本明細書では、ｋ0によって示される、トーン境界オフセット値と呼ばれることがある。トーン境界オフセット値は、コンポーネントキャリアの中心とＲＢのエッジとの間のトーン（たとえば、ＲＥ）の数に等しくなり得る。言い換えれば、トーン境界オフセット値は、対応するキャリア中のＵＥのＲＢ境界からの直流（ＤＣ）オフセットを識別し得る。たとえば、キャリア５０２および５０４の場合、トーン境界オフセット値は６に等しい。トーン境界オフセット値は、必ずしも、一方のキャリアの中心から他方のキャリアの中心までのオフセット（ずれ）であるとは限らず、トーン境界オフセット値のための矢印は、図５では偶然にもキャリアの中心線間にあることに留意されたい。ＵＥは、ＲＢのトーン境界がＤＣサブキャリアからずれている（is offset）場合にＲＢのエッジを識別するために、トーン境界オフセット値を使用し得る。
【００６８】
[0076]いくつかの態様では、キャリアは、特定の数のＲＢを含み得る。たとえば、キャリア５０２は５つのＲＢを含み、キャリア５０４は１１個のＲＢを含む。ＲＢの数は、スケジューリングエンティティによって決定され得る。いくつかの態様では、ＲＢの数は、サブキャリア間隔に正確に比例しないことがある。たとえば、ＲＢの数は、μ＝Ｍとμ＝Ｍ＋１とを比較すると、必ずしも２倍にされるとは限らないことがある。
【００６９】
[0077]いくつかの態様では、キャリアはチャネル番号に関連付けられ得る。チャネル番号は、３ＧＰＰ技術仕様３８．２１１において定義されているような、ｋ＋ｋ0に対応する周波数をポイントし得る。チャネル番号は、有効なチャネルラスタポイントをポイントし得る。いくつかの態様では、チャネル番号は、あらゆるサブキャリア間隔についてチャネルの中間点に対応するとは限らないことがある。いくつかの態様では、チャネル番号は、異なるサブキャリア間隔について等しくなり得る。いくつかの態様では、（たとえば、非スタンドアロン展開において）あるＲＡＴから別のＲＡＴに切り替えるとき、チャネル番号が使用され得る。
【００７０】
[0078]上記で説明されたパラメータのうちのいくつかは、互いに依存し得、上記で説明されたパラメータのうちのいくつかは、互いに依存しないことがある。たとえば、キャリアのチャネル番号は、キャリアのサブキャリア間隔に依存しないことがある。いくつかの態様では、キャリアのｋ0は、キャリアのサブキャリア間隔に関係し得る。いくつかの態様では、キャリアのＲＢの数は、キャリアのサブキャリア間隔に関係し得る。追加または代替として、キャリアの周波数オフセットは、キャリアのサブキャリア間隔の関数であり得る。本明細書で説明される技法および装置は、（たとえば、与えられるパラメータと与えられないパラメータとの間の関係を使用して）ＵＥがキャリアのリソース割振りを決定することを可能にするために、パラメータのサブセット（たとえば、周波数オフセット、チャネル開始（channel start）、チャネル終了（channel end）、チャネル中心、チャネル番号、ｋ0、ＲＢの数、および基準周波数ロケーションのサブセット）を与える。このようにして、リソースは、キャリアのためのパラメータの全体を与えることと比較して節約される。
【００７１】
[0079]キャリア５０２〜５０８は、各々、奇数個のＲＢを含む。いくつかの態様では、キャリアは、偶数個のＲＢを含み得る。そのような場合、位相境界オフセットが、偶数個のＲＢをもつキャリア中に存在しないので、キャリアのｋ0値が０に等しくなり得る。
【００７２】
[0080]上記のように、図５は一例として与えられる。他の例が可能であり、図５に関して説明されたものとは異なり得る。
【００７３】
[0081]図６は、本開示の様々な態様による、５Ｇネットワークにおけるキャリア情報シグナリングの一例６００を示す図である。
【００７４】
[0082]図６に、および参照番号６１０によって、示されているように、ＢＳ１１０は、ＵＥ１２０のためのキャリアの構成を決定し得る。いくつかの態様では、構成は、本明細書ではリソース割振りと呼ばれることがある。たとえば、ＢＳ１１０は、キャリアの帯域幅（たとえば、ＲＢの数など）、（たとえば、スペクトル利用に少なくとも部分的に基づく）キャリアの周波数ロケーションなどを決定し得る。ＢＳ１１０は、ＵＥ１２０のサブキャリア間隔に少なくとも部分的に基づいて構成を決定し得る。たとえば、ＵＥ１２０は、特定のサブキャリア間隔に関連付けられ得、ＢＳ１１０は、特定のサブキャリア間隔に少なくとも部分的に基づいて構成を決定し得る。
【００７５】
[0083]参照番号６２０によって示されているように、ＢＳ１１０は、ＵＥ１２０にキャリア情報を与え得る。キャリア情報は、構成を識別するためにＵＥ１２０によって使用され得る。ここで、キャリア情報は、チャネル番号、トーン境界オフセット値（たとえば、ｋ0）、リソースブロックの数、および基準周波数からの周波数オフセットなど、１つまたは複数のパラメータを含む。たとえば、チャネル番号は、物理チャネルに対応するインデックス値など、物理チャネルの識別子を含み得る。トーン境界オフセット値は、キャリアのトーン境界オフセットを識別し得る。リソースブロックの数は、キャリア中に含まれるリソースブロックの数を識別し得る。周波数オフセットは、基準周波数からキャリアまでの（たとえば、キャリアのチャネル開始までの）オフセット（たとえば、ＲＢの数に関する）を識別し得る。いくつかの態様では、キャリア情報は、上記で識別されたパラメータのすべてを含み得る。いくつかの態様では、キャリア情報は、トーン境界オフセット値、リソースブロックの数、および周波数オフセットなど、上記で識別されたパラメータのサブセット（すなわち、上記で識別されたパラメータのすべてよりも少数のパラメータ）を含み得る。いくつかの態様では、キャリア情報は、特定の場合には、上記で識別されたパラメータのうちの１つまたは複数を含み得る。たとえば、ＵＥがあるＲＡＴから別のＲＡＴにハンドオーバされることになる場合には、キャリア情報はチャネル番号を含み得る。いくつかの態様では、キャリア情報は、上記で識別されたパラメータとは異なる１つまたは複数のパラメータを含み得る。
【００７６】
[0084]参照番号６３０によって示されているように、ＵＥ１２０は、キャリア情報を使用してキャリアの構成を決定し得る。たとえば、ＵＥ１２０は、（たとえば、ＵＥ１２０の構成に少なくとも部分的に基づく）サブキャリア間隔と、（たとえば、ＵＥ１２０によって受信された同期信号ブロックまたはＰＢＣＨに少なくとも部分的に基づく）基準周波数とを知り得る。ＵＥ１２０は、キャリア情報を使用してキャリアの構成を決定し得る。キャリアの構成の決定の様々な例が以下で与えられる。
【００７７】
[0085]いくつかの態様では、ＵＥ１２０は、キャリアのチャネル開始のロケーションを識別するために、サブキャリア間隔、基準周波数、および周波数オフセットを使用し得る。たとえば、ＵＥ１２０は、チャネル開始を決定するために、基準周波数から、サブキャリア間隔に従って決定される帯域幅を用いて、ＲＢの数をオフセットし得る。いくつかの態様では、ＵＥ１２０は、ＵＥ１２０の構成（たとえば、無線リソース制御（ＲＲＣ）構成）の後に使用される基準信号のための擬似雑音（pseudo-noise）シーケンス、ＵＥ１２０のＲＢグループ（ＲＢＧ）、ＵＥ１２０のプリコーダＲＢ（ＰＲＢ）グラニュラリティ（granularity）、および／またはＵＥ１２０のサウンディング基準信号（ＳＲＳ）のロケーションのうちの少なくとも１つを決定するために基準周波数を使用し得る。そのような場合、キャリアのチャネル開始および／またはチャネル終了がＲＢＧ、ＰＲＧ、またはＳＲＳと整合される必要はない。このようにして、異なる帯域幅で構成された異なるＵＥが、一般に構成された（commonly-configured）シーケンスなどを共有し得る。
【００７８】
[0086]いくつかの態様では、ＵＥ１２０は、構成を決定するためにチャネル番号を使用し得る。たとえば、ＵＥ１２０は、チャネル番号に従ってキャリアが割り振られたチャネルの中心周波数または識別情報を識別し得る。
【００７９】
[0087]いくつかの態様では、ＵＥ１２０は、キャリアのチャネル終了および／またはキャリアの帯域幅を識別するために、ＲＢの数を使用し得る。たとえば、ＵＥ１２０は、キャリアのＲＢの数によって識別される、チャネル開始からのオフセットに従って、チャネル終了を識別し得る。
【００８０】
[0088]いくつかの態様では、ＵＥ１２０は、構成を決定するためにトーン境界オフセット値を使用し得る。たとえば、キャリアが奇数個のＲＢを含む状況では、ＵＥ１２０は、トーン境界オフセットを決定するために、トーン境界オフセット値を使用し得る。
【００８１】
[0089]いくつかの態様では、キャリア情報は帯域幅部分を指し得る。たとえば、ＵＥ１２０は、キャリア情報によって識別されるキャリアに関連付けられた帯域幅部分の構成を決定し得る。そのような場合、ＢＳ１１０は、キャリア内の帯域幅部分の開始ＲＢおよび終了ＲＢを識別する情報を与え得る。たとえば、開始ＲＢおよび／または終了ＲＢは、キャリアに対して、または基準周波数に対して定義され得る。
【００８２】
[0090]いくつかの態様では、ＵＥ１２０は、周波数分割複信（ＦＤＤ）に関連付けられ得る。そのような場合、アップリンクキャリアのためのパラメータのセットとは異なる、ダウンリンクキャリアのためのパラメータのセットがシグナリングされ得る。たとえば、ダウンリンクキャリアのためのサブキャリア間隔がアップリンクキャリアのためのサブキャリア間隔とは異なるとき、パラメータの異なるセットがシグナリングされ得る。追加または代替として、ダウンリンクキャリアのためのチャネル帯域幅がアップリンクキャリアのためのチャネル帯域幅とは異なるとき、パラメータの異なるセットがシグナリングされ得る。ダウンリンクキャリアのチャネル帯域幅およびサブキャリア間隔と、アップリンクキャリアのチャネル帯域幅およびサブキャリア間隔とが等しいとき、ＢＳ１１０は、ダウンリンクキャリアのパラメータに加えてアップリンクキャリアのチャネル番号のみを示し得る。
【００８３】
[0091]いくつかの態様では、ＵＥ１２０は、時分割複信（ＴＤＤ）に関連付けられ得る。そのような場合、ダウンリンクキャリアのチャネル番号は、アップリンクキャリアのチャネル番号に等しくなり得る。いくつかの態様では、ＢＳ１１０は、（たとえば、ダウンリンクキャリアが、アップリンクキャリアとは異なる、ＲＢの数に関連付けられるとき）アップリンクキャリアのためのＲＢの数とは異なる、ダウンリンクキャリアのためのＲＢの数をシグナリングし得る。
【００８４】
[0092]いくつかの態様では、ＢＳ１１０とＵＥ１２０とは、オフラスタ（off-raster）同期を実施し得る。たとえば、ＢＳ１１０は、ＢＳ１１０が同期信号ブロックを送信することになる特定のリソースを識別し得る同期ラスタに少なくとも部分的に基づいて、同期信号ブロックを送信し得る。いくつかの態様では、ＢＳ１１０は、オフラスタ（off-raster）ロケーション（たとえば、同期ラスタによって識別されないロケーション）において同期信号ブロックを送信し得る。たとえば、ＢＳ１１０は、ＵＥ１２０がモビリティ管理のためのモビリティ情報を決定することを可能にするために、オフラスタロケーションにおいて同期信号ブロックを送信し得る。本明細書で説明される技法および装置は、オフラスタ同期のために、ならびに同期ラスタに従う同期のために適用可能である。たとえば、ＵＥ１２０は、同期信号ブロックが同期ラスタオンであるのか、同期ラスタオフであるのかにかかわらず、同期信号ブロックに少なくとも部分的に基づいて（たとえば、同期信号ブロックによって識別される基準周波数に少なくとも部分的に基づいて）、リソース割振りを決定し得る。
【００８５】
[0093]いくつかの態様では、チャネル番号の変更が、送信信号（たとえば、キャリア情報）の連続位相回転として観測され得る。これは、送信信号を生成するために使用されるフーリエ変換に少なくとも部分的に基づき得る。さらに、ｋ0の変更が、あらゆる信号境界においてリセットし得る送信信号の位相回転として観測され得る。
【００８６】
[0094]物理チャネル、トーン境界オフセット、チャネル開始、および／またはチャネル終了を決定することによって、ＵＥ１２０はチャネルの構成を決定する。このようにして、ＵＥ１２０は、構成のいくつかのパラメータ（たとえば、チャネル開始、チャネル終了、キャリアの中心周波数など）の明示的シグナリングなしに構成を決定し、これは、キャリア情報をシグナリングすることの効率を改善し、ネットワークリソースの利用を改善する。
【００８７】
[0095]上記のように、図６は一例として与えられる。他の例が可能であり、図６に関して説明されたものとは異なり得る。
【００８８】
[0096]図７は、本開示の様々な態様による、たとえば、ＵＥによって実施される例示的なプロセス７００を示す図である。例示的なプロセス７００は、ＵＥ（たとえば、ＵＥ１２０）が、キャリア情報に少なくとも部分的に基づいて、キャリアのための構成の決定を実施する一例である。
【００８９】
[0097]図７に示されているように、いくつかの態様では、プロセス７００は、キャリアのための初期絶対周波数、キャリアのためのトーン境界オフセット値、キャリア中に含まれるリソースブロックの数、または基準周波数からの周波数オフセットのうちの少なくとも１つを識別するキャリア情報を受信することを含み得る（ブロック７１０）。たとえば、ＵＥは、ＢＳ（たとえば、ＢＳ１１０）からキャリア情報を受信し得る。ＵＥは、ＵＥのキャリアまたはＢＷＰのための構成を決定するためにキャリア情報を受信し得る。キャリア情報は、キャリアのための初期絶対周波数、キャリアのためのトーン境界オフセット値、キャリア中に含まれるリソースブロックの数、または基準周波数からの周波数オフセットのうちの少なくとも１つを識別し得る。たとえば、キャリア情報は、初期絶対周波数、トーン境界オフセット値、リソースブロックの数、および周波数オフセットを識別し得る。初期絶対周波数は、それに対してキャリアまたはＢＷＰが定義される周波数を（たとえば、トーン境界オフセット値、周波数オフセットなどに少なくとも部分的に基づいて）識別し得る。
【００９０】
[0098]図７に示されているように、いくつかの態様では、プロセス７００は、キャリア情報とＵＥのサブキャリア間隔とに少なくとも部分的に基づいて、キャリアの構成を決定することを含み得る（ブロック７２０）。たとえば、ＵＥは、キャリアの構成を決定し得る。ＵＥは、キャリア情報を使用して構成を決定し得る。たとえば、ＵＥは、ＵＥのサブキャリア間隔を知り得、構成を決定するために、サブキャリア間隔に少なくとも部分的に基づいてキャリア情報を使用し得る。
【００９１】
[0099]プロセス７００は、以下で説明される、および／または本明細書の他の場所で説明される１つまたは複数の他のプロセスに関する、任意の単一の態様および／または態様の任意の組合せなど、追加の態様を含み得る。
【００９２】
[0100]いくつかの態様では、基準周波数は、キャリアのエッジから特定の距離を置いたところに位置し、ここにおいて、特定の距離は、ＵＥの最大のサポートされるチャネル帯域幅よりも広い。いくつかの態様では、ＵＥは、基準周波数に少なくとも部分的に基づいて、キャリアのための擬似雑音シーケンス、キャリアのためのリソースブロックグループ、キャリアのためのプリコーダリソースブロックグラニュラリティ、またはキャリアのためのサウンディング基準信号のロケーションのうちの少なくとも１つを決定し得る。
【００９３】
[0101]いくつかの態様では、ＵＥは、キャリア情報に少なくとも部分的に基づいて、および帯域幅部分の開始リソースブロックまたは帯域幅部分の終了リソースブロックのうちの少なくとも１つを識別する情報に少なくとも部分的に基づいて、帯域幅部分を決定し得る。いくつかの態様では、帯域幅部分の開始リソースブロックまたは帯域幅部分の終了リソースブロックのうちの少なくとも１つが、物理チャネルに対して定義される。いくつかの態様では、帯域幅部分の開始リソースブロックまたは帯域幅部分の終了リソースブロックのうちの少なくとも１つが、基準周波数に対して定義される。
【００９４】
[0102]いくつかの態様では、キャリアはダウンリンクキャリアであり、キャリア情報はダウンリンクキャリア情報であり、ＵＥが周波数分割複信に関連付けられるとき、ＵＥは、アップリンクキャリアのためのアップリンクキャリア情報を受信し、アップリンクキャリア情報に少なくとも部分的に基づいて、アップリンクキャリアの構成を決定し得る。いくつかの態様では、ＵＥは、アップリンクキャリアが、ダウンリンクキャリアとは異なるサブキャリア間隔、またはダウンリンクキャリアとは異なるチャネル帯域幅のうちの少なくとも１つに関連付けられることに少なくとも部分的に基づいて、アップリンクキャリア情報を受信するように構成される。
【００９５】
[0103]いくつかの態様では、ダウンリンクキャリアのサブキャリア間隔とアップリンクキャリアのサブキャリア間隔とが等しいとき、およびダウンリンクキャリアのチャネル帯域幅とアップリンクキャリアのチャネル帯域幅とが等しいとき、アップリンクキャリア情報は、アップリンクキャリアのチャネル番号を識別する。いくつかの態様では、キャリアのための同期信号ブロックが、物理チャネルのための同期ラスタによって定義されるロケーション以外のロケーションにおいて受信される。
【００９６】
[0104]いくつかの態様では、ＵＥは、初期絶対周波数を示すチャネル番号を受信すること、または初期絶対周波数において同期チャネルを検出することのうちの１つに少なくとも部分的に基づいて、初期絶対周波数を識別し得る。
【００９７】
[0105]図７はプロセス７００の例示的なブロックを示すが、いくつかの態様では、プロセス７００は、図７に示されたものと比べて、追加のブロック、より少数のブロック、異なるブロック、または別様に構成されたブロックを含み得る。追加または代替として、プロセス７００のブロックのうちの２つまたはそれ以上が並列に実施され得る。
【００９８】
[0106]図８は、本開示の様々な態様による、たとえば、基地局（ＢＳ）によって実施される例示的なプロセス８００を示す図である。例示的なプロセス８００は、基地局（たとえば、ＢＳ１１０）が５Ｇネットワークにおけるキャリア情報のシグナリングを実施する一例である。
【００９９】
[0107]図８に示されているように、いくつかの態様では、プロセス８００は、ＵＥのサブキャリア間隔に少なくとも部分的に基づいて、ＵＥのためのキャリアの構成を決定することを含み得る（ブロック８１０）。たとえば、基地局は、キャリアのための構成を決定し得る。いくつかの態様では、基地局は、（たとえば、キャリア中に含まれる）ＵＥの帯域幅部分のための構成を決定し得る。いくつかの態様では、基地局は、ＵＥのサブキャリア間隔に少なくとも部分的に基づいて、構成を決定し得る。
【０１００】
[0108]図８に示されているように、いくつかの態様では、プロセス８００は、構成を識別するキャリア情報を送信することを含み得る（ブロック８２０）。たとえば、基地局は、ＵＥにキャリア情報を送信し得る。キャリア情報は、構成を識別し得、および／または、構成を決定するために、ＵＥによって使用され得る。たとえば、キャリア情報は、キャリアのための初期絶対周波数、キャリアのためのトーン境界オフセット値、キャリア中に含まれるリソースブロックの数、または基準周波数からの周波数オフセットのうちの少なくとも１つを含み得る。
【０１０１】
[0109]プロセス８００は、以下で説明される、および／または本明細書の他の場所で説明される１つまたは複数の他のプロセスに関する、任意の単一の態様および／または態様の任意の組合せなど、追加の態様を含み得る。
【０１０２】
[0110]いくつかの態様では、基準周波数は、キャリアのエッジから特定の距離を置いたところに位置し、ここにおいて、特定の距離は、ＵＥの最大のサポートされるチャネル帯域幅よりも広い。いくつかの態様では、基地局は、帯域幅部分の開始リソースブロックまたは帯域幅部分の終了リソースブロックのうちの少なくとも１つを識別する情報を送信し得、ここにおいて、キャリア情報は、帯域幅部分のためのものである。いくつかの態様では、帯域幅部分の開始リソースブロックまたは帯域幅部分の終了リソースブロックのうちの少なくとも１つが、物理チャネルに対して定義される。いくつかの態様では、帯域幅部分の開始リソースブロックまたは帯域幅部分の終了リソースブロックのうちの少なくとも１つが、基準周波数に対して定義される。いくつかの態様では、キャリアはダウンリンクキャリアであり、キャリア情報はダウンリンクキャリア情報である。ＵＥが周波数分割複信に関連付けられるとき、基地局は、アップリンクキャリアのためのアップリンクキャリア情報を送信し得る。いくつかの態様では、基地局は、アップリンクキャリアが、ダウンリンクキャリアとは異なるサブキャリア間隔、またはダウンリンクキャリアとは異なるチャネル帯域幅のうちの少なくとも１つに関連付けられることに少なくとも部分的に基づいて、アップリンクキャリア情報を送信するように構成される。
【０１０３】
[0111]いくつかの態様では、ダウンリンクキャリアのサブキャリア間隔とアップリンクキャリアのサブキャリア間隔とが等しいとき、およびダウンリンクキャリアのチャネル帯域幅とアップリンクキャリアのチャネル帯域幅とが等しいとき、アップリンクキャリア情報は、アップリンクキャリアのチャネル番号を識別する。いくつかの態様では、キャリアのための同期信号ブロックが、物理チャネルのための同期ラスタによって定義されるロケーション以外のロケーションにおいて受信される。いくつかの態様では、初期絶対周波数は、初期絶対周波数を示すチャネル番号、または初期絶対周波数における同期チャネルのうちの１つに少なくとも部分的に基づいて識別される。
【０１０４】
[0112]図８はプロセス８００の例示的なブロックを示すが、いくつかの態様では、プロセス８００は、図８に示されたものと比べて、追加のブロック、より少数のブロック、異なるブロック、または別様に構成されたブロックを含み得る。追加または代替として、プロセス８００のブロックのうちの２つまたはそれ以上が並列に実施され得る。
【０１０５】
[0113]上記の開示は、例示および説明を与えるが、網羅的なものでもなく、開示された厳密な形態に態様を限定するものでもない。修正および変形が、上記の開示に照らして可能であるか、または態様の実施から得られ得る。
【０１０６】
[0114]本明細書で使用される構成要素という用語は、ハードウェア、ファームウェア、またはハードウェアとソフトウェアの組合せとして広く解釈されるものとする。本明細書で使用されるプロセッサは、ハードウェア、ファームウェア、またはハードウェアとソフトウェアの組合せで実装される。
【０１０７】
[0115]本明細書では、しきい値に関していくつかの態様が説明される。本明細書で使用されるしきい値を満たすことは、値が、しきい値よりも大きいこと、しきい値よりも大きいかまたはそれに等しいこと、しきい値よりも小さいこと、しきい値よりも小さいかまたはそれに等しいこと、しきい値に等しいこと、しきい値に等しくないことなどを指し得る。
【０１０８】
[0116]本明細書で説明されるシステムおよび／または方法は、ハードウェア、ファームウェア、またはハードウェアとソフトウェアの組合せの異なる形態で実装され得ることが明らかであろう。これらのシステムおよび／または方法を実装するために使用される実際の特殊な制御ハードウェアまたはソフトウェアコードは、態様を限定するものではない。したがって、システムおよび／または方法の動作および挙動は、特定のソフトウェアコードと無関係に本明細書で説明され、ソフトウェアおよびハードウェアは、本明細書の説明に少なくとも部分的に基づいて、システムおよび／または方法を実装するように設計され得ることが理解される。
【０１０９】
[0117]特徴の特定の組合せが特許請求の範囲において具陳されおよび／または本明細書で開示されたが、これらの組合せは、可能な態様の開示を限定するものではない。実際は、これらの特徴の多くは、詳細には、特許請求の範囲において具陳されずおよび／または本明細書で開示されない方法で、組み合わせられ得る。以下に記載される各従属請求項は、１つの請求項のみに直接従属することがあるが、可能な態様の開示は、特許請求の範囲中のあらゆる他の請求項と組み合わせた各従属請求項を含む。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１１０】
[0118]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
【図１】
2021505043.tif 000003
【図２】
2021505043.tif 000004
【図３Ａ】
2021505043.tif 000005
【図３Ｂ】
2021505043.tif 000006
【図４】
2021505043.tif 000007
【図５】
2021505043.tif 000008
【図６】
2021505043.tif 000009
【図７】
2021505043.tif 000010
【図８】
2021505043.tif 000011
【国際調査報告】
2021505043.tif 000012
2021505043.tif 000013
2021505043.tif 000014